(57)【特許請求の範囲】
【請求項１】
帽子本体が、透湿・防水性を有する表側生地と、その表側生地の裏側の少なくとも一部に吸湿・放湿性を有する裏側生地とを備え、前記帽子本体の底部内面側に、吸湿・放湿性を有する生地からなる帯状のビン皮部を備え、前記ビン皮部の裏面側に、該ビン皮部とほぼ同一長さを有し、かつ、該ビン皮部よりも幅狭に構成された吸湿・放湿性を有する帯状生地を、該ビン皮部の幅方向ほぼ中央に位置させて備えたことを特徴とする帽子。
【請求項２】
帽子装着時に少なくとも額が接触するように前記裏側生地を前記帽子本体の前側部分に備えている請求項１記載の帽子。
【請求項３】
前記裏側生地と表側生地との間に、保形性を高めるためのメッシュ状の芯材を備えている請求項２記載の帽子。
【請求項４】
前記表側生地が複数枚の生地からなり、それら複数枚の生地を帯状部材を介して繋ぎ合わせることにより該表側生地を構成し、前記表側生地を構成する複数の生地のうちの前側に位置する生地とほぼ同一の大きさとなるように前記裏側生地を構成し、前記前側に位置する生地と該裏側生地とを前記帯状部材を介して縫着して一体化している請求項１〜３のいずれかに記載の帽子。
【請求項５】
前記表側生地を構成する生地の枚数が６枚であり、それら６枚がほぼ同一形状でかつほぼ同一の大きさのものからなり、前記裏側生地が前記表側生地を構成する生地とほぼ同一形状でかつほぼ同一の大きさの２枚の生地からなり、前記表側生地の６枚のうちの前側に位置する２枚に前記２枚の裏側生地を対向位置させて両者をそれぞれ帯状部材を介して縫着して一体化している請求項４記載の帽子。
【発明の詳細な説明】
【技術分野】
【０００１】
本発明は、例えばスポーツやアウトドアの他、釣りに際して着用する帽子に関する。
【背景技術】
【０００２】
上記帽子は、日差しを遮って頭部保護の目的で被るものであるが、近年、表側生地に防水性及び透湿性に富んだ透湿防水加工された生地を用いて構成された帽子が提案されている（例えば、特許文献１参照）。
【特許文献１】特開平６−６５８０５号公報（図３参照）
【発明の開示】
【発明が解決しようとする課題】
【０００３】
特許文献１の帽子の表側生地は、雨水等の水滴は通すことがないものの、帽子内部に充満している蒸気等を帽子外部に排出することによって、帽子内が蒸れることがないようにしている。しかしながら、例えば気温の高い真夏等においては頭部、特に額を含む前頭部や後頭部等にかいた汗までも表側生地を通して帽子外部に排出することができず、不快に感じることがあり、改善の余地があった。
【０００４】
本発明が前述の状況に鑑み、解決しようとするところは、雨水等の水滴は通すことがないとともに、帽子内が蒸れることがないように帽子内の蒸気を帽子外部に排出することができながらも、頭部にかいた汗を確実に吸収して帽子外部に排出することができる帽子を提供することを課題とする。
【課題を解決するための手段】
【０００５】
本発明の帽子は、帽子本体が、透湿・防水性を有する表側生地と、その表側生地の裏側の少なくとも一部に吸湿・放湿性を有する裏側生地とを備え、前記帽子本体の底部内面側に、吸湿・放湿性を有する生地からなる帯状のビン皮部を備え、前記ビン皮部の裏面側に、該ビン皮部とほぼ同一長さを有し、かつ、該ビン皮部よりも幅狭に構成された吸湿・放湿性を有する帯状生地を、該ビン皮部の幅方向ほぼ中央に位置させて備えたことを特徴としている。
従って、透湿・防水性を有する表側生地にて雨水等の水滴が帽子内に入り込むことを阻止しながらも、帽子内の水蒸気を帽子外部へ排出することができる。しかも、頭部にかいた汗は、吸湿・放湿性を有する裏側生地に接触することにより裏側生地に確実に吸収し、その吸収された汗が徐々に湿気となって表側生地を通して帽子外部へ排出されることになる。尚、前記裏側生地は表側生地の裏側の一部の特定部分に備えさせてもよいし、全体を覆うようにしてもよい。
【０００６】
帽子装着時に少なくとも額が接触するように前記裏側生地を前記帽子本体の前側部分に備えていてもよい。
【０００７】
前記裏側生地と表側生地との間に、保形性を高めるためのメッシュ状の芯材を備えていてもよい。
【０００８】
前記表側生地が複数枚の生地からなり、それら複数枚の生地を帯状部材を介して繋ぎ合わせることにより該表側生地を構成し、前記表側生地を構成する複数の生地のうちの前側に位置する生地とほぼ同一の大きさとなるように前記裏側生地を構成し、前記前側に位置する生地と該裏側生地とを前記帯状部材を介して縫着して一体化してもよい。
【０００９】
前記表側生地を構成する生地の枚数が６枚であり、それら６枚がほぼ同一形状でかつほぼ同一の大きさのものからなり、前記裏側生地が前記表側生地を構成する生地とほぼ同一形状でかつほぼ同一の大きさの２枚の生地からなり、前記表側生地の６枚のうちの前側に位置する２枚に前記２枚の裏側生地を対向位置させて両者をそれぞれ帯状部材を介して縫着して一体化してもよい。
【発明の効果】
【００１０】
透湿・防水性を有する表側生地を備えることによって、雨水等の水滴は通すことがないとともに、帽子内が蒸れることがないように帽子内の湿気を帽子外部に排出することができながらも、頭部にかいた汗を吸湿・放湿性を有する裏側生地にて確実に吸収して帽子外部に排出することができるから、特に暑い時期でも快適に過ごすことができる帽子を提供することができる。
【００１１】
帽子装着時に少なくとも額が接触するように前記裏側生地を前記帽子本体の前側部分に備えることによって、帽子本体全体に裏側生地を備える構成に比べて、製造コスト面において有利にしながらも、特に汗をかきやすい額からの汗を裏側生地にて確実に吸収することができる有用な帽子とすることができる。
【００１２】
前記裏側生地と表側生地との間に、保形性を高めるためのメッシュ状の芯材を備えることによって、裏側生地が汗を吸収して保形性が低下している場合でもメッシュ状の芯材にて前側部分が型崩れすることがなく、常に形が整えられた意匠感に優れた帽子にすることができる。しかも、芯材が通気性を有しているため、裏側生地にて吸収した汗を芯材、表側生地を介して外部に排出することができる。
【００１３】
前記表側生地が複数枚の生地からなり、それら複数枚の生地を帯状部材を介して繋ぎ合わせることにより該表側生地を構成し、前記表側生地を構成する複数の生地のうちの前側に位置する生地とほぼ同一の大きさとなるように前記裏側生地を構成し、前記前側に位置する生地と該裏側生地とを前記帯状部材を介して縫着して一体化することによって、表側生地と裏側生地とを別々に縫着する場合に比べて縫着工程数を削減することができ、製造面において有利になる。
【００１４】
前記表側生地を構成する生地の枚数が６枚であり、それら６枚がほぼ同一形状でかつほぼ同一の大きさのものからなり、前記裏側生地が前記表側生地を構成する生地とほぼ同一形状でかつほぼ同一の大きさの２枚の生地からなり、前記表側生地の６枚のうちの前側に位置する２枚に前記２枚の裏側生地を対向位置させて両者をそれぞれ帯状部材を介して縫着して一体化することによって、表側生地と裏側生地とを別々に縫着する場合に比べて縫着工程の簡素化を図ることができ、製造面において有利になるだけでなく、裏側生地を必要最小限の２枚とすることで更に製造面において有利になる。
【発明を実施するための最良の形態】
【００１５】
図１〜図３に、釣りに際して好適に使用することができる釣り用帽子（以下において、単に帽子という）１を示している。
この帽子１は、頭部を覆い被せることができるほぼ半球状の帽子本体（クラウン部とも言う）２と、この帽子本体２の底部周縁の特定箇所（図では周縁のほぼ１／３を占める箇所）、つまり前端部の底部に一端が縫着されて連結された鍔部３とを備えた野球帽タイプに構成されている。
【００１６】
前記帽子本体２は、ほぼ同一形状でかつほぼ同一の大きさに構成されたほぼ三角形状の６枚の表側生地４と、前側に位置する２枚の表側生地４に対応する裏側に配置される三角形状の２枚の裏側生地５と、これら表側生地４同士を繋ぎ合わせるとともに２枚の裏側生地５をこれに対応する２枚の表側生地４に縫着により一体化するための３本の帯状部材６とを備えている。具体的には、６枚の表側生地４を円周方向に配置するとともに、円周方向で隣り合う表側生地４の横側端部を内側に折り込んで横側端部同士を隙間無く対向位置させ、その状態でそれら隣り合う生地４，４の繋ぎ目に内側（裏側）から３本の直線状の帯状部材６を当て付けてから縫着している。そして、前側に位置する２枚の表側生地４，４を縫い合わせるときに、２枚の裏側生地５，５も合わせて縫い合わせることによって、２枚の表側生地４，４と２枚の裏側生地５，５とを一体化するようにしている。従って、例えば表側生地４を縫い合わせてから表側生地４に裏側生地５を縫い合わせる場合に比べて、縫着工程数を減らすことができ、縫着作業を迅速に行うことができる。図に示す７は、３本の帯状部材６が一挙に交差する頭頂部に取り付けられたボタン部である。
【００１７】
前記６枚全ての表側生地４のそれぞれは、透湿・防水性を有する生地から構成されている。具体的には、生地やフィルムに、水滴よりも小さく水蒸気よりも大きな孔を多数形成し、孔が形成された生地やフィルムに撥水加工を施すことにより透湿・防水性を有する生地を得ることができ、例えばゴアテックス（商標登録）や東レのエントラントなどを用いることができる。
従って、雨水等の水滴が表側生地４を通して帽子内部に入り込むことを阻止することができながらも、帽子内の水蒸気（湿気）を表側生地４を通して帽子外部へ排出して帽子内が蒸れないようにしている。
【００１８】
また、２枚の裏側生地５のそれぞれは、吸湿・放湿性を有する生地から構成されている。具体的には、吸湿・放湿性を有する例えばナイロンやセルロース系繊維などを使用して生地を構成する、またはポリエステル系繊維やアクリル系繊維の少なくとも一種を例えばナイロンやセルロース系繊維などとともに用いて生地を構成することもできる。
このように２枚の裏側生地５を吸湿・放湿性を有する生地から構成することによって、特に額にかいた汗を２枚の裏側生地５に接触することにより吸水するとともに吸収した汗を直ちに放湿させ、前記表側生地４を通して外部に排出することができるようになっている。従って、汗をかく暑い時期でも、帽子内部がムレることなく快適に装着することができる帽子を構成することができる。
【００１９】
前記帽子本体２の底部内面側のうち、帽子本体２の後側に備えたサイズ調整部８を除いた部分に、帯状のビン皮部９を備えている。このビン皮部９も前記同様に吸湿・放湿性を有する生地から構成して、頭部のうちのビン皮部９に接触する部分からの汗を、該ビン皮部９にて吸収するとともに放湿させて表側生地４を通して外部に排出することができるようにしてもよい。
前記ビン皮部９の裏面側、つまり帽子本体２側に、吸湿・放湿性を有する帯状生地１６をビン皮部９の幅方向ほぼ中央に位置させて縫着している。この帯状生地１６は、ビン皮部９よりも幅狭に構成され、かつ、ビン皮部９とほぼ同一長さに構成されている。
【００２０】
図４に示すように、帽子本体２の前側部分を構成する前記２枚の裏側生地５，５とこれに対向位置する２枚の表側生地４，４との間に、保形性を高めるためのメッシュ状の芯材１０を備えて、裏側生地５，５が汗を吸収することにより、帽子本体２の前側部分が型崩れすることがないようにしている。
そして、前記芯材１０をメッシュ状にすることによって、裏側生地５，５にて吸収した汗等が芯材１０にて遮蔽されることがなく、芯材１０を通して表側生地４，４側へ移動させて該表側生地４，４から外部に汗を確実に排出することができるようになっている。前記芯材１０は、高分子繊維からなる不織布の他、通気性を有する織布又は編布を用いることができる。
【００２１】
図２及び図３に示す１１は、帽子に連結された帽子用ストラップであり、この帽子用ストラップ１１は上着の衿等に挟み込ませる一対の挟持部１２，１３と、これら挟持部１２，１３の基端部に一端が連結された帯状で長尺な（少なくとも帽子と上着の衿までの長さがあればよい）紐やゴム等からなる連結体１４とからなっている。前記連結体１４の他端は、帽子の後側で下部位置に前記サイズ調整部８と帽子本体２の裏側との間にサンドイッチされた状態で縫着されている。そして、前記連結体１４の中間部をビン皮部９の後側に形成の開口部９Ａを通してビン皮部９の内部に入り込ませることによって、帽子用ストラップの不要時において長さのある連結体１４が帽子外に飛び出すことがないようにしている。尚、前記不要時に一対の挟持部１２，１３を帽子の横側に備えた後方が開口されたポケット部１５に一方の挟持部１２を差し込んで挟持固定することができるようになっている。
【００２２】
前記実施形態では、前側に位置する２枚の表側生地４に対応する２枚の裏側生地５を備えさせた場合を示したが、他の４枚の少なくとも１枚に裏側生地５を備えさせてもよい。また、表側生地４を６枚から構成したが、何枚であってもよい。
【００２３】
前記サイズ調整部８は、リング状の金具８Ａに挿入された面ファスナー８Ｍを内面に備えた長さ調整用バンド８Ｂとからなっているが、他の構成であってもよいし、  サイズ調整部が省略された帽子であってもよい。
また、帽子としては、野球帽タイプを示したが、帽子本体の底部周縁の全域に渡って鍔部を備えさせたハットタイプの帽子であってもよい。
【図面の簡単な説明】
【００２４】
【図１】帽子を前側から見たときの斜視図である。
【図２】帽子を後側から見たときの斜視図である。
【図３】帽子の底面図である。
【図４】帽子本体の前側の下側部分を上下方向で切断した縦断面図である。
【符号の説明】
【００２５】
１…帽子、２…帽子本体、３…鍔部、４…表側生地、５…裏側生地、６…帯状部材、７…ボタン部、８…サイズ調整部、８Ａ…金具、８Ｂ…長さ調整用バンド、８Ｍ…面ファスナー、９…ビン皮部、９Ａ…開口部、１０…芯材、１１…帽子用ストラップ、１２，１３…挟持部、１４…連結体、１５…ポケット部、１６…帯状生地
【図１】
0005145053.tif 000002
【図２】
0005145053.tif 000003
【図３】
0005145053.tif 000004
【図４】
0005145053.tif 000005